(57)【要約】【課題】食べ物調理用の発熱容器を提供する。【解決手段】本発明によれば、本発明の目的を果たすために、本発明の一側面によれば、外部容器１１０、発熱剤（Ｈ）が収容される内部空間を提供する発熱剤容器１２０、外部容器の内部空間に収容される内部容器１３０、及び内部容器の開放された上部を閉鎖するように、外部容器と分離可能に結合される蓋１４０、を含み、外部容器は、底開口部１１２が形成された外部容器底１１１と、外部容器底から上向きに延びる外部容器側壁１１４と、を備え、発熱剤容器は、底開口部を通じて少なくとも一部が外部に突出するように、外部容器に分離可能に結合されることを特徴とする食べ物調理用の発熱容器が提供される。【選択図】図２
2020090315.tif 000002
【特許請求の範囲】
【請求項１】
外部容器（１１０）と、
発熱剤（Ｈ）が収容される内部空間を提供する発熱剤容器（１２０）と、
前記外部容器の内部空間に収容される内部容器（１３０）と、
前記内部容器の開放された上部を閉鎖するように、前記外部容器と分離可能に結合される蓋（１４０）と、を含み、
前記外部容器は、底開口部（１１２）が形成された外部容器底（１１１）と、前記外部容器底から上向きに延びる外部容器側壁（１１４）と、を備え、
前記発熱剤容器は、前記底開口部を通じて少なくとも一部が外部に突出するように、前記外部容器に分離可能に結合されることを特徴とする食べ物調理用の発熱容器。
【請求項２】
前記発熱剤容器は、発熱剤容器底（１２１）と、前記発熱剤容器底から上向きに延びる発熱剤容器側壁（１２２）と、前記外部容器底（１１１）の内側先端に引っ掛かるように、前記発熱剤容器側壁から外側に延設される発熱剤容器結合部（１２３）と、を備えることを特徴とする請求項１に記載の食べ物調理用の発熱容器。
【請求項３】
前記外部容器の底（１１１）の内側には、上向きに突設される係止突出部（１１３）が形成され、
発熱剤容器結合部（１２３）は、前記係止突出部を取り囲むように形成される溝状であることを特徴とする請求項１に記載の食べ物調理用の発熱容器。
【請求項４】
前記内部容器は、内部容器底（１３１）と、前記内部容器底から上向きに延びる内部容器側壁（１３２）と、前記内部容器側壁から外側に延びて、前記外部容器側壁の上端に分離可能に結合される内部容器結合部（１３３）と、を備えることを特徴とする請求項１に記載の食べ物調理用の発熱容器。
【請求項５】
前記外部容器側壁の上端に前記内部容器結合部が結合された状態で、前記外部容器側壁と前記内部容器側壁は離隔することを特徴とする請求項４に記載の食べ物調理用の発熱容器。
【請求項６】
前記外部容器は、前記外部容器側壁から外側に突設される多数の外部容器羽根（１１８）をさらに備え、
前記蓋は、前記外部容器羽根に対応して形成される多数の係合羽根（１４２）を備え、
前記外部容器羽根と係合羽根とのうちの１つには、係合溝（１１９）が形成され、残りの１つには、前記係合溝に分離可能に押込まれる挿入突起（１４３）が形成されることを特徴とする請求項１に記載の食べ物調理用の発熱容器。
【請求項７】
前記発熱剤容器は、前記内部容器に収容可能なサイズを有することを特徴とする請求項１に記載の食べ物調理用の発熱容器。
【発明の詳細な説明】
【技術分野】
【０００１】
本発明は、食べ物調理容器に係り、より詳細には、発熱剤を用いて食べ物を加熱する発熱容器に関する。
【背景技術】
【０００２】
野外で食べ物を加熱するために、通常使われる方式は、食べ物が入れられた調理容器をガスレンジやバーナーのような加熱器具を用いて加熱することである。しかし、このような通常の食べ物加熱方式は、調理容器と加熱器具とを別途に備えなければならないために、携帯及び保管などに不便さがある。このような不便さを減らすために、ガスレンジやバーナーのような別途の加熱器具を使わず、水と接触時に、水和反応によって発熱する発熱剤を用いて食べ物を加熱する発熱容器が開発されている。
【０００３】
発熱剤を利用する従来の発熱容器は、一般的に発熱剤と水とが収容される外部容器と、外部容器の内部に収容され、加熱対象食べ物が収容される内部容器と、を備えるが、外部容器が発熱剤と内部容器をいずれも収容しなければならないために、比較的大きな外部容器が使われるので、改善が要求される。
【先行技術文献】
【特許文献】
【０００４】
【特許文献１】大韓民国登録特許公報登録番号１０−０９１７６９４（“発熱剤で加熱する携帯用の調理容器”（２００９．０９．２１））
【特許文献２】大韓民国公開実用新案公報公開番号２０−２０１３−０００２０００（“アウトドア用の自己発熱調理容器”（２０１３．０３．２８））
【発明の概要】
【発明が解決しようとする課題】
【０００５】
本発明の目的は、発熱剤を用いて食べ物を調理する発熱容器であって、携帯及び保管がさらに便利になった構造を有する発熱容器を提供するところにある。
【課題を解決するための手段】
【０００６】
前記本発明の目的を果たすために、本発明の一側面によれば、外部容器１１０、発熱剤（Ｈ）が収容される内部空間を提供する発熱剤容器１２０、前記外部容器の内部空間に収容される内部容器１３０、及び前記内部容器の開放された上部を閉鎖するように、前記外部容器と分離可能に結合される蓋１４０、を含み、前記外部容器は、底開口部１１２が形成された外部容器底１１１と、前記外部容器底から上向きに延びる外部容器側壁１１４と、を備え、前記発熱剤容器は、前記底開口部を通じて少なくとも一部が外部に突出するように、前記外部容器に分離可能に結合されることを特徴とする食べ物調理用の発熱容器が提供される。
【０００７】
前記発熱剤容器は、発熱剤容器底１２１と、前記発熱剤容器底から上向きに延びる発熱剤容器側壁１２２と、前記外部容器底１１１の内側先端に引っ掛かるように、前記発熱剤容器側壁から外側に延設される発熱剤容器結合部１２３と、を備えることができる。
【０００８】
前記外部容器の底１１１の内側には、上向きに突設される係止突出部１１３が形成され、前記発熱剤容器結合部１２３は、前記係止突出部を取り囲むように形成される溝状であり得る。
【０００９】
前記内部容器は、内部容器底１３１と、前記内部容器底から上向きに延びる内部容器側壁１３２と、前記内部容器側壁から外側に延びて、前記外部容器側壁の上端に分離可能に結合される内部容器結合部１３３と、を備えることができる。
【００１０】
前記外部容器側壁の上端に前記内部容器結合部が結合された状態で、前記外部容器側壁と前記内部容器側壁は離隔する。
【００１１】
前記外部容器は、前記外部容器側壁から外側に突設される多数の外部容器羽根１１８をさらに備え、前記蓋は、前記外部容器羽根に対応して形成される多数の係合羽根１４２を備え、前記外部容器羽根と係合羽根とのうちの１つには、係合溝１１９が形成され、残りの１つには、前記係合溝に分離可能に押込まれる挿入突起１４３が形成されうる。
【００１２】
前記発熱剤容器は、前記内部容器に収容可能なサイズを有しうる。
【発明の効果】
【００１３】
本発明によれば、前述した本発明の目的をいずれも果たしうる。具体的には、発熱剤を収容する発熱剤容器が外部容器と分離可能な形態で別途に備えられ、内部容器に収容可能なサイズを有するので、外部容器の体積が減り、該減った外部容器内に内部容器と発熱剤容器とがいずれも共に収容されるので、携帯及び保管が便利になる。
【図面の簡単な説明】
【００１４】
【図１】本発明の一実施形態による食べ物調理用の発熱容器の斜視図である。
【図２】図１に示された食べ物調理用の発熱容器の縦断面図である。
【図３】図１に示された食べ物調理用の発熱容器の分解斜視図である。
【発明を実施するための形態】
【００１５】
以下、図面を参照して、本発明の実施形態の構成及び作用を詳しく説明する。
【００１６】
図１、図２及び図３のそれぞれには、本発明の一実施形態による食べ物調理用の発熱容器が、斜視図、縦断面図及び分解斜視図として示されている。図１から図３は、本発明の一実施形態による発熱剤を利用した発熱容器を示す図面である。図１から図３を参照すれば、本発明の一実施形態による食べ物調理用の発熱容器１００は、外部容器１１０と、発熱剤（Ｈ）が収容される発熱剤容器１２０と、加熱対象食べ物（Ｆ）が収容される内部容器１３０と、蓋１４０と、を含む。発熱容器１００は、発熱剤（Ｈ）を用いて食べ物（Ｈ）を加熱する。
【００１７】
外部容器１１０は、外部容器底１１１と、外部容器底１１１の縁部から上向きに延設される外部容器側壁１１４と、外部容器側壁１１４から外側に突設される多数の外部容器羽根１１８と、を備える。外部容器１１０は、外部容器底１１１と外部容器側壁１１４とによって形成される内部空間を提供し、内部空間に内部容器１３０が収容される。外部容器１１０の上部は、開放されて開口部を形成し、外部容器１１０の上部に形成された開口部を通じて発熱剤容器１２０と内部容器１３０とが出入りすることができる。本実施形態では、外部容器１１０が略四角状の容器であると説明するが、本発明は、これに制限されるものではない。
【００１８】
外部容器底１１１は、略扁平な板状であって、外部容器底１１１の中央部には、外部容器１１０の内部空間が外部と通じる底開口部１１２が形成される。外部容器底１１１の内側先端には、外部容器１１０の内部空間側に上向きに突設される係止突出部１１３が形成される。係止突出部１１３に発熱剤容器１２０が引っ掛って、外部容器１１０と結合される。
【００１９】
外部容器側壁１１４は、外部容器底１１１の縁部から上向きに延設される。外部容器側壁１１４の上端１１５に内部容器１３０がかかって外部容器１１０の内部空間に収容される。
【００２０】
多数の外部容器羽根１１８のそれぞれは、外部容器側壁１１４から外側に突設される。本実施形態では、方形の外部容器１１０の４つのコーナーの上部に位置すると説明するが、本発明は、これに制限されるものではない。多数の外部容器羽根１１８のそれぞれの上面には、蓋１４０との結合のための係合溝１１９が形成される。
【００２１】
発熱剤容器１２０は、発熱剤容器底１２１と、発熱剤容器底１２１の縁部から上向きに延設される発熱剤容器側壁１２２と、発熱剤容器側壁１２２の上端から外側に延設される発熱剤容器結合部１２３と、を備える。発熱剤容器底１２１と発熱剤容器側壁１２２とによって形成される発熱剤容器１２０の内部空間に発熱剤（Ｈ）が収容される。発熱剤容器１２０の上部は、開放されて開口部を形成する。発熱剤容器１２０に収容される発熱剤（Ｈ）は、水と接触時に、水和反応によって発熱する発熱剤であると説明する。すなわち、発熱のために、発熱剤容器１２０には、発熱剤（Ｈ）と共に水が収容される。発熱剤容器結合部１２３は、外部容器１１０の係止突出部１１３を取り囲むように形成される環状の溝状を有する。発熱剤容器結合部１２３は、外部容器１１０の係止突出部１１３の少なくとも１つが弾性変形されて分離可能であり、再結合も可能である。発熱剤容器結合部１２３が係止突出部１１３に結合された状態で発熱剤容器底１２１と発熱剤容器側壁１２２は、外部容器１１０の底開口部１１２を通じて下向きに突出して外部に露出される。発熱剤容器１２０に収容される発熱剤（Ｈ）によって内部容器１３０に入れられた加熱対象食べ物（Ｆ）が加熱される。発熱剤容器１２０は、内部容器１３０に収容されるサイズを有する。
【００２２】
内部容器１３０は、内部容器底１３１と、内部容器底１３１の縁部から上向きに延設される内部容器側壁１３２と、内部容器側壁１３２の上端から外側に延設される内部容器結合部１３３と、を備える。内部容器底１３１と内部容器側壁１３２とによって形成される内部容器１３０の内部空間に加熱対象食べ物（Ｆ）が収容される。内部容器底１３１と内部容器側壁１３２は、外部容器１１０の内部空間に収容されるサイズを有する。内部容器結合部１３３は、外部容器側壁１１４の上端を取り囲むように形成される環状の溝状を有する。内部容器結合部１３３が外部容器側壁１１４の上端にわたって結合された状態で、内部容器１３０は、外部容器１１０の内部空間に収容され、内部容器側壁１３２は、外部容器側壁１１４と離隔する。内部容器側壁１３２と外部容器側壁１１４との間に形成された空間は、発熱剤（Ｈ）によって発生する水蒸気及びガス（Ｖ）が移動する通路を形成する。内部容器底１３１の下面は、発熱剤容器結合部１２３と接して発熱剤容器１２０が安定して結合された状態を保持する。
【００２３】
蓋１４０は、内部容器１３０が外部容器１１０に収容された状態で内部容器１３０の開放された上部を覆う蓋部１４１と、蓋部１４１の縁部から多数の外部容器羽根１１８のそれぞれに対応して延設される多数の係合羽根１４２と、を備える。多数の係合羽根１４２のそれぞれには、外部容器羽根１１８に形成された係合溝１１９に分離可能に押込まれる挿入突起１４３が形成される。係合羽根１４２のそれぞれには、外部容器羽根１１８と離隔して形成される取っ手１４４が設けられる。取っ手１４４を用いて、ユーザは、外部容器１１０に結合された蓋１４０を引っ張って分離させることができる。前記実施形態では、蓋１４０の係合羽根１４２に挿入突起１４３が形成され、外部容器羽根１１８に係合溝１１９が形成されると説明するが、これとは違って、挿入突起が外部容器羽根１１８に形成され、係合溝１１９が蓋１４０の係合羽根１４２に形成されうる。
【００２４】
発熱容器１００は、携帯及び保管時に、内部容器１３０が外部容器１１０に収容された状態で外部容器１１０と分離された発熱剤容器１２０が内部容器１３０に収容されるために、外部容器１１０の体積を減らしうるので、携帯性及び移動性が従来の発熱容器に比べて、顕著に向上する。
【００２５】
以上、実施形態を通じて本発明を説明したが、本発明は、これに制限されるものではない。前記実施形態は、本発明の趣旨及び範囲を外れずに修正または変更され、当業者は、このような修正と変更も本発明に属するものであるということが分かる。
【符号の説明】
【００２６】
１００：発熱容器
１１０：外部容器
１１１：外部容器底
１１２：底開口部
１１３：係止突出部
１１４：外部容器側壁
１１８：外部容器羽根
１１９：係合溝
１２０：発熱剤容器
１２１：発熱剤容器底
１２２：発熱剤容器側壁
１２３：発熱剤容器結合部
１３０：内部容器
１３１：内部容器底
１３２：内部容器側壁
１３３：内部容器結合部
１４０：蓋
１４１：蓋部
１４２：係合羽根
１４３：挿入突起
１４４：取っ手
【図１】
2020090315.tif 000003
【図２】
2020090315.tif 000004
【図３】
2020090315.tif 000005
【手続補正書】
【提出日】令和2年2月27日(2020.2.27)
【手続補正１】
【補正対象書類名】明細書
【補正対象項目名】００１３
【補正方法】変更
【補正の内容】
【００１３】
本発明によれば、前述した本発明の目的をいずれも果たしうる。具体的には、発熱剤を収容する発熱剤容器が外部容器と分離可能な形態で別途に備えられ、且つ、外部容器の体積が減るので、携帯及び保管が便利になる。
【手続補正２】
【補正対象書類名】特許請求の範囲
【補正対象項目名】全文
【補正方法】変更
【補正の内容】
【特許請求の範囲】
【請求項１】
外部容器（１１０）と、
発熱剤（Ｈ）が収容される内部空間を提供する発熱剤容器（１２０）と、
前記外部容器（１１０）の内部空間に収容される内部容器（１３０）と、
前記内部容器（１３０）の開放された上部を閉鎖するように、前記外部容器（１１０）と分離可能に結合される蓋（１４０）と、を含み、
前記外部容器は、底開口部（１１２）が形成された外部容器底（１１１）と、前記外部容器底から上向きに延びる外部容器側壁（１１４）と、を備え、
前記発熱剤容器（１２０）は、発熱剤容器底（１２１）と、前記発熱剤容器底（１２１）から上向きに延びる発熱剤容器側壁（１２２）と、前記外部容器底（１１１）の内側先端に引っ掛かるように、前記発熱剤容器側壁（１２２）から外側に延設される発熱剤容器結合部（１２３）と、を備え
前記内部容器（１３０）は、内部容器底（１３１）と、前記内部容器底から上向きに延びる内部容器側壁（１３２）と、前記内部容器側壁（１３２）から外側に延びて、前記外部容器側壁（１１４）の上端に分離可能に結合される内部容器結合部（１３３）と、を備え、
前記発熱剤（Ｈ）は、前記発熱剤容器（１２０）の内部において、前記発熱剤容器底（１２１）の縁部から隔離された位置に配置され、
前記内部容器側壁（１３２）は、前記内部容器の底（１３１）から上部に向かって外方向に傾斜するとともに、前記外部容器側壁（１１４）は、前記外部容器の底（１１１）から上向きに垂直に形成され、これにより、前記外部容器側壁（１１４）と内部容器側壁（１３２）との間の距離は、上部に向かって狭くなり、これによって前記発熱剤（Ｈ）で発生した熱が、前記発熱剤容器（１２０）の下部から前記外部容器（１１０）と前記内部容器（１３０）の間のスペースを経てスムーズに流れることが可能であり、
前記外部容器（１１０）の両側面の上部の中央には蒸気排出孔が形成され、
前記蓋（１４０）は、前記内部容器（１３０）が前記外部容器（１１０）に収容された状態で前記内部容器（１３０）の開放された上部を覆う蓋部（１４１）を有し、これによって前記内部容器（１３０）と前記外部容器（１１０）との間に沿って流れる蒸気の前記内部容器（１３０）への進入を遮断し、
前記内部容器結合部（１３３）は、前記外部容器側壁（１１４）の上端を取り囲むように形成された環状の溝を有し、
前記内部容器結合部（１３３）が前記外部容器側壁（１１４）の上端にわたって結合された状態で、前記内部容器（１３０）は、前記外部容器（１１０）の内部空間に収容され、前記内部容器側壁（１３２）は、前記外部容器側壁（１１４）と離隔され、
前記内部容器側壁（１３２）と前記外部容器側壁（１１４）との間に形成された空間は、前記発熱剤（Ｈ）によって発生する水蒸気及びガス（Ｖ）が移動する通路を形成し、
前記発熱剤（Ｈ）によって発生する水蒸気及びガス（Ｖ）は、前記内部容器側壁（１３２）と前記外部容器側壁（１１４）との間に形成された空間を移動して前記外部容器（１１０）の両側面の上部の中央に形成された蒸気排出孔を通じて前記外部容器（１１０）の外側に排出され、且つ
前記発熱剤容器（１２０）は、前記底開口部（１１２）を通じて少なくとも一部が外部に突出するように、前記外部容器（１１０）に分離可能に結合されることを特徴とする食べ物調理用の発熱容器。
【請求項２】
前記外部容器の底（１１１）の内側には、上向きに突設される係止突出部（１１３）が形成され、
発熱剤容器結合部（１２３）は、前記係止突出部を取り囲むように形成される溝状であることを特徴とする請求項１に記載の食べ物調理用の発熱容器。
【請求項３】
前記外部容器（１１０）は、前記外部容器側壁（１１４）から外側に突設される多数の外部容器羽根（１１８）をさらに備え、
前記蓋（１４０）は、前記外部容器羽根（１１８）に対応して形成される多数の係合羽根（１４２）を備え、
前記外部容器羽根（１１８）と係合羽根（１４２）とのうちの１つには、係合溝（１１９）が形成され、残りの１つには、前記係合溝（１１９）に分離可能に押込まれる挿入突起（１４３）が形成されることを特徴とする請求項１に記載の食べ物調理用の発熱容器。
【請求項４】
前記発熱剤容器（１２０）は、前記内部容器（１３０）に収容可能なサイズを有することを特徴とする請求項１に記載の食べ物調理用の発熱容器。